(57)【特許請求の範囲】
【請求項１】
測定装置により測定された生体情報を入力し、入力した生体情報を送信させるために携帯電話機へ出力する生体情報送信用アダプタにおいて、
前記測定装置と接続するための第１の接続手段と、
前記携帯電話機と接続するための第２の接続手段と、
生体情報の送信先を特定する情報を記憶する送信先記憶手段と、
稼働状態である場合に、前記測定装置から生体情報を前記第１の接続手段を介して入力する入力手段と、
該入力手段が入力した生体情報を記憶する生体情報記憶手段と、
稼働状態である場合に、前記送信先情報記憶手段が記憶している送信先を特定する情報を前記第２の接続手段を介して前記携帯電話機へ出力し、次いで前記生体情報記憶手段が記憶している生体情報を前記第２の接続手段を介して出力する出力手段と、
前記第１の接続手段が測定装置と接続されている状態で前記第２の接続手段が前記携帯電話機と接続された場合に待機状態から稼働状態へ遷移し、前記出力手段による生体情報の前記携帯電話機への出力が終了した時点から所定時間経過後に稼働状態から待機状態へ遷移する状態制御手段と
を備えたことを特徴とする生体情報送信用アダプタ。
【請求項２】
前記送信先記憶手段は、送信先情報を１個のみ記憶する不揮発性メモリであり、外部から送信先情報が入力された場合に、記憶している送信先情報に上書きするようにしてあることを特徴とする請求項１に記載の生体情報送信用アダプタ。
【発明の詳細な説明】
【０００１】
【発明の属する技術分野】
本発明は患者が自身で生体情報を測定する装置、たとえば血糖値を測定する血糖計等が測定したデータを医療機関等へ電話回線を介して送信する際に、両者の仲立ちとして、測定装置からデータを入力し、それを自動的に、且つ予め指定されている送信先へ携帯電話機に送信させる生体情報送信用アダプタに関する。
【０００２】
【従来の技術】
入院する必要はないが、日常的に生体情報、たとえば血圧、血糖値等を測定することにより患者自身が自らの病状を把握し、また測定結果を定期的に医療機関へ送って指示を仰ぐ必要があるというような疾病を抱える患者にとっては測定結果を定期的に医療機関へ送る作業が煩わしいものである。たとえば、測定結果を一日一度、または１週に一度というような頻度で医療機関に送信する場合、測定結果を記録すること自体が非常に煩わしく、また測定結果の記録を何らかの手段で医療機関へ送ることも、近年ではファクシミリ、インターネット、携帯電話機等を利用する技術が開発されて便利にはなったとはいうものの、このような作業が要求される患者には比較的高齢者が多く、その操作が理解し難いという患者も多いというのが実情である。
【０００３】
このような事情から、生体情報の測定装置そのものに通信手段を備えさせ、自動的にインターネット、携帯電話機等を利用して患者の生体情報を定期的に送信するような発明が種々提案されている（たとえば、特開平９−１７３３０４号、特開平１１−１７８８０１号、特開平２−２７９０５６号等）。
【０００４】
【発明が解決しようとする課題】
しかし、上述の発明に開示された技術では、それ自身にインターネットを介して通信する機能、または携帯電話機用の無線回線網を介して通信する機能を有していたり、または電話機との接続のためのアダプタと測定装置とが一体化されていたりするため、必然的にコスト高となり、また生体情報を測定する装置そのものは比較的小型であっても、通信機能を有するために比較的大型化し、また重量も増大し、更に種々の煩瑣な操作が必要であるため、機械操作の苦手な特に老人にとっては使い辛いものとなっていた。
【０００５】
本発明はこのような事情に鑑みてなされたものであり、それ自身は比較的小型であり、また比較的軽量である生体情報の測定装置と必要に応じて接続させるようにし、一方では携帯電話機とも必要に応じて接続させるようにし、両者が接続されることのみで自動的に、測定装置から生体情報を入力し、それを自動的に携帯電話機へ出力することにより、携帯電話機から送信させるように構成した生体情報送信用アダプタの提供を目的とする。
【０００６】
【課題を解決するための手段】
本発明に係る生体情報送信用アダプタは、測定装置により測定された生体情報を入力し、入力した生体情報を送信させるために携帯電話機へ出力する生体情報送信用アダプタにおいて、前記測定装置と接続するための第１の接続手段と、前記携帯電話機と接続するための第２の接続手段と、生体情報の送信先を特定する情報を記憶する送信先記憶手段と、稼働状態である場合に、前記測定装置から生体情報を前記第１の接続手段を介して入力する入力手段と、該入力手段が入力した生体情報を記憶する生体情報記憶手段と、稼働状態である場合に、前記送信先情報記憶手段が記憶している送信先を特定する情報を前記第２の接続手段を介して前記携帯電話機へ出力し、次いで前記生体情報記憶手段が記憶している生体情報を前記第２の接続手段を介して出力する出力手段と、前記第１の接続手段が測定装置と接続されている状態で前記第２の接続手段が前記携帯電話機と接続された場合に待機状態から稼働状態へ遷移し、前記出力手段による生体情報の前記携帯電話機への出力が終了した時点から所定時間経過後に稼働状態から待機状態へ遷移する状態制御手段とを備えたことを特徴とする。
【０００７】
このような本発明の生体情報送信用アダプタでは、測定装置により測定された生体情報を入力し、入力した生体情報を送信させるために携帯電話機へ出力する生体情報送信用アダプタにおいて、測定装置とは第１の接続手段で接続し、携帯電話機とは第２の接続手段で接続し、状態制御手段により第１の接続手段が測定装置と接続されている状態で第２の接続手段が携帯電話機と接続された場合に待機状態から稼働状態へ遷移し、出力手段による生体情報の携帯電話機への出力が終了した時点から所定時間経過後に稼働状態から待機状態へ遷移する。そして、稼働状態である場合に、入力手段が測定装置から生体情報を第１の接続手段を介して入力し、この入力手段が入力した生体情報を生体情報記憶手段が記憶し、また稼働状態である場合に、出力手段が送信先情報記憶手段が記憶している送信先を特定する情報を第２の接続手段を介して携帯電話機へ出力し、次いで生体情報記憶手段が記憶している生体情報を第２の接続手段を介して出力する。この際、状態制御手段により第１の接続手段が測定装置と接続されている状態で第２の接続手段が携帯電話機と接続された場合に待機状態から稼働状態へ遷移し、出力手段による生体情報の携帯電話機への出力が終了した時点から所定時間経過後に稼働状態から待機状態へ遷移する。
【０００８】
また本発明は上述の発明において、前記送信先記憶手段は、送信先情報を１個のみ記憶する不揮発性メモリであり、外部から送信先情報が入力された場合に、記憶している送信先情報に上書きするようにしてあることを特徴とする。
【０００９】
このような本発明の生体情報送信用アダプタでは、送信先情報記憶手段が記憶する送信先情報は常時１個のみであるため、選択操作等の煩瑣な操作なしで常に同一の送信先へ生体情報が送信される。
【００１０】
【発明の実施の形態】
以下、本発明をその実施の形態を示す図面に基づいて詳述する。
【００１１】
図１は本発明の生体情報送信用アダプタが実際に使用される状態における生体情報測定装置と携帯電話機との接続状態を示す模式図である。
【００１２】
本発明の生体情報送信用アダプタ１は、一方では生体情報測定値としての血糖計２と接続し、他方では携帯電話機３と接続しており、更に血糖計２との接続端子にはパーソナルコンピュータ（ＰＣ）４を接続することも可能に構成されている。なお、本実施の形態においては、生体情報測定装置として血糖計２を接続している。
【００１３】
なお図１において、６はアラーム用のブザーを、７はアラーム用の表示灯（ＬＥＤ）をそれぞれ示しており、また２１は血糖計２又はＰＣ４との接続のためのレセプタクルを、３１は携帯電話機３との接続のためのレセプタクルをそれぞれ示している。図１に示されているように、生体情報送信用アダプタ１には電源スイッチは備えられていない。
【００１４】
なお、本実施の形態では、生体情報測定装置として血糖計２を接続するようにしてあるが、具体的にはテルモ株式会社製の「メディセーフｅｚ」を接続して使用する。また、携帯電話機３としては株式会社ＮＴＴドコモの携帯電話端末（ＰＤＣ端末）を使用している。但し、本発明の生体情報送信用アダプタ１を他の種々の生体情報測定装置に接続可能に構成すること、及び種々の携帯電話機と接続可能に構成することは勿論可能でる。
【００１５】
図２は本発明の生体情報送信用アダプタ１の内部機能構成例を示すブロック図である。
【００１６】
生体情報送信用アダプタ１は、全体の制御を司るＣＰＵ１１を中心として、ＲＯＭ１２、ＲＡＭ１３、フラッシュメモリ１４、電源制御回路１５、血糖計２とのデータの入出力のためのインタフェイス（Ｉ／Ｆ）１８、携帯電話機３とのデータの入出力のためのインタフェイス（Ｉ／Ｆ）１９等がＣＰＵ１１とバス接続されている。
【００１７】
ＲＯＭ１２は生体情報送信用アダプタ１のＣＰＵ１１による制御動作のためのプログラムが記録された不揮発性メモリであり、ＲＡＭ１３はＣＰＵ１１による制御動作に際しての種々の中間的データの一時記憶、及び血糖計２から入力した生体情報、即ち血糖値データのスプール等に使用される。
【００１８】
フラッシュメモリ１４は血糖計２から生体情報送信用アダプタ１へ入力された血糖値データの送信先、たとえば医療機関等を特定する情報、具体的には電話番号を１つだけ記憶するための書換え可能な不揮発性メモリである。
【００１９】
電源制御回路１５は、ＣＰＵ１１からの指示に従って、電源回路１６を制御する。電源回路１６はバッテリからのこの生体情報送信用アダプタ１全体への電力供給を、スタンバイ状態又は稼働状態に制御するためのものである。バッテリそのものが装着されていない場合は、生体情報送信用アダプタ１はオフ状態となって一切の動作をしない。
【００２０】
インタフェイス１８は血糖計２又はＰＣ４とのデータの入出力を司る。生体情報送信用アダプタ１と血糖計２との接続には本例では３極ミニプラグが使用され、そのレセプタクル２１がインタフェイス１８に接続された状態で生体情報送信用アダプタ１に備えられている。このレセプタクル２１にはＰＣ４を接続することも可能になっている。
【００２１】
インタフェイス１９は携帯電話機３とのデータの入出力を司る。生体情報送信用アダプタ１と携帯電話機３との接続には本例ではＰＤＣ携帯電話機対応コネクタが使用され、そのレセプタクル３１がインタフェイス１９に接続された状態で生体情報送信用アダプタ１に備えられている。
【００２２】
なお、レセプタクル３１の特定の端子への所定の信号入力があった場合に、ＣＰＵ１１は生体情報送信用アダプタ１が携帯電話機３と接続されたと認識してパワーオン状態、即ち稼働状態に遷移する。なおこの際、携帯電話機３の電源がオン状態でない場合には、上述のレセプタクル３１の特定の端子への所定の信号入力はないため、ＣＰＵ１１は生体情報送信用アダプタ１が携帯電話機３と接続されたとは認識しない。換言すれば、電源がオン状態の携帯電話機３が生体情報送信用アダプタ１に接続された場合にのみ、ＣＰＵ１１は携帯電話機３が接続されたと認識してパワーオン状態、即ち稼働状態に遷移する。
【００２３】
アラーム用のブザー６は、ＣＰＵ１１からドライバ６１へ制御信号が与えられることにより、所定の鳴動音を発生する。また、アラーム用の表示灯（ＬＥＤ）７は、ＣＰＵ１１からドライバ７１へ制御信号が与えられることにより、所定の点灯状態になる。
【００２４】
次に、上述のように構成された本発明の生体情報送信用アダプタ１の動作について、ＣＰＵ１１による制御手順を示す図３、図４のフローチャートを参照して説明する。
【００２５】
まず、生体情報送信用アダプタ１に電源が供給可能な状態、たとえば電池が装着された場合には、ＣＰＵ１１への電源供給が開始される。但し、この場合にはＣＰＵ１１は初期設定を行なうが、その一部として電源制御回路１５に所定の制御信号を送って電源回路１６を制御し、携帯電話機３の接続の有無のみを検出可能なスタンバイ状態になり（ステップＳ１）、バッテリの消耗を防止する。
【００２６】
このスタンバイ状態において、ＣＰＵ１１は電源がオン状態の携帯電話機３が接続されたか否かの判断をしている（ステップＳ２）。携帯電話機３がレセプタクル３１に接続された場合（ステップＳ２でＹＥＳ）、ＣＰＵ１１はそれを検知し、電源制御回路１５へ制御信号を与えて電源回路１６を制御させることにより、パワーオン状態（稼働状態）へ遷移する（ステップＳ３）。
【００２７】
パワーオン状態になると、ＣＰＵ１１はまず、レセプタクル２１に血糖計２が接続されているか否か（ステップＳ４）、またはＰＣ４が接続されているか否か（ステップＳ５）の検出を行なう。この際、血糖計２及びＰＣ４のいずれも接続されていない場合は（ステップＳ４及びＳ５でＮＯ）、ＣＰＵ１１はブザー６の鳴動及び／又は表示灯７の点灯によりアラームを発生する（ステップＳ６）。
【００２８】
血糖計２が既に接続されている場合、またはアラーム発生に応じて生体情報送信用アダプタ１に接続された場合（ステップＳ４でＹＥＳ）、ＣＰＵ１１は血糖計２からレセプタクル２１経由でインタフェイス１８へデータを入力する（ステップＳ７）。この血糖計２から入力されるデータは一旦、ＲＡＭ１３にスプールされる（ステップＳ８）。データのスプールが終了すると（ステップＳ９でＹＥＳ）、ＣＰＵ１１はフラッシュメモリ１４に記憶されている送信先情報を読み出し、インタフェイス１９を介してレセプタクル３１経由で携帯電話機３へ出力する（ステップＳ１０）。
【００２９】
この送信先情報が与えられることにより、携帯電話機３は送信先情報で指定されている送信先（電話番号）へ発呼し、回線接続を試みる（ステップＳ１１）。回線接続が成功すると（ステップＳ１１でＹＥＳ）、携帯電話機３から所定の信号がレセプタクル３１、インタフェイス１９経由でＣＰＵ１１に与えられるので、ＣＰＵ１１はＲＡＭ１３にスプールされているデータをインタフェイス１９、レセプタクル３１経由で携帯電話機３へ出力する（ステップＳ１２）。
【００３０】
このようにして血糖計２から生体情報送信用アダプタ１へ入力されたデータが一旦スプールされた後、生体情報送信用アダプタ１から携帯電話機３へ出力され、それが更に先に生体情報送信用アダプタ１から与えられている送信先情報に携帯電話機３から予め定められている送信先へ送信される。やがて、データの携帯電話機３からの送信が正常に終了すると、その旨を意味する所定の信号が携帯電話機３から生体情報送信用アダプタ１へ与えられるので、ＣＰＵ１１はブザー６による所定の鳴動及び／又は表示灯７による所定の表示により、データの送信が正常に終了したことを報知する（ステップＳ１４）。
【００３１】
この後、所定時間経過すると（ステップＳ１５でＹＥＳ）、ＣＰＵ１１は電源制御回路１５へ所定の制御信号を送って電源回路１６を制御し、再度、携帯電話機３の接続の有無のみを検出可能なスタンバイ状態になり（ステップＳ１）、バッテリの消耗を防止する。
【００３２】
一方、前述のステップＳ５においてＰＣ４がレセプタクル２１に接続されていた場合（ステップＳ５でＹＥＳ）、ＣＰＵ１１はＰＣ４からデータ、この場合は送信先情報を入力し（ステップＳ２１）、それをフラッシュメモリ１４に既に記憶されている送信先情報に上書きすることにより更新し（ステップＳ２２）、スタンバイ状態に戻る（ステップＳ１）。
【００３３】
従って、フラッシュメモリ１４には常時１個の送信先情報のみが記憶されているので、送信先を選択する操作は不要になる。
【００３４】
【発明の効果】
以上に詳述したように本発明の生体情報送信用アダプタによれば、生体情報を測定する装置と携帯電話機との双方から独立した構成であるので、それ自体のコストは比較的低廉であり、更に小型化、軽量化が可能になると共に、種々の測定装置及び携帯電話機との接続が可能なように構成することができる。
【００３５】
また、本発明の生体情報送信用アダプタによれば、状態制御手段により第１の接続手段が測定装置と接続されている状態で第２の接続手段が携帯電話機と接続された場合にのみ待機状態から稼働状態へ遷移し、この稼働状態である場合に、入力手段が測定装置から生体情報を第１の接続手段を介して入力し、この入力手段が入力した生体情報を生体情報記憶手段が記憶し、また出力手段が送信先情報記憶手段が記憶している送信先を特定する情報を第２の接続手段を介して携帯電話機へ出力し、次いで生体情報記憶手段が記憶している生体情報を第２の接続手段を介して出力する。従って、電力の節減、特にバッテリの場合にはその長寿命化が図れると共に、測定装置が測定した生体情報を誤操作により消失する虞がなく、また送信先を間違う虞もない。
【００３６】
また本発明の生体情報送信用アダプタによれば、出力手段による生体情報の携帯電話機への出力が終了した時点から所定時間経過後に稼働状態から待機状態へ自動的に遷移する。このため、電力の節減が図れると共に、測定装置が測定した生体情報を誤って入力することがないので、生体情報が消失する虞がない。
【００３７】
更に本発明の生体情報送信用アダプタによれば、送信先情報記憶手段が記憶する送信先情報は常時１個のみであるため、選択操作なしで常に同一の送信先へ生体情報を送信することができる。従って、機械操作に不慣れな場合にも間違った送信先へ送信する虞は皆無になる。
【図面の簡単な説明】
【図１】本発明の生体情報送信用アダプタが実際に使用される状態における生体情報測定装置と携帯電話機との接続状態を示す模式図である。
【図２】本発明の生体情報送信用アダプタの内部機能構成例を示すブロック図である。
【図３】本発明の生体情報送信用アダプタの動作としてのＣＰＵによる制御手順を示すフローチャートである。
【図４】本発明の生体情報送信用アダプタの動作としてのＣＰＵによる制御手順を示すフローチャートである。
【符号の説明】
１  生体情報送信用アダプタ
２  血糖計
３  携帯電話機
４  パーソナルコンピュータ（ＰＣ）
１１  ＣＰＵ
１３  ＲＡＭ
１４  フラッシュメモリ
１５  電源制御回路
２１  レセプタクル
３１  レセプタクル
【図１】
0004021703.tif 000002
【図２】
0004021703.tif 000003
【図３】
0004021703.tif 000004
【図４】
0004021703.tif 000005